(57)【要約】【課題】外輪の内周端部に圧入される外径部を有する環と、この環に一体化されたリップとからなる軸受用シールにおいて、内輪シール面を傷付かないように治具で外輪の内周端部から取り外す。【解決手段】環２に、シール表裏に連通する治具掛け口６を設け、その治具掛け口６を固形潤滑剤７で塞いだ軸受用シール１とした。取付けられた軸受用シール１から固形潤滑剤７を外せば、環２の外径部２ａから部分的に内径側に凹入する導入部６ａより治具を差し込んでシール裏側に掛け、外輪の内周端縁を梃の支点として治具を起こすことにより、軸受用シール１を表側に押し出して取り外すことができる。【選択図】図１
2008249034.tif 000002
【特許請求の範囲】
【請求項１】
外輪の内周端部に圧入される外径部を有する環と、この環に一体化されたリップとからなる軸受用シールにおいて、
前記環に、シール表裏に連通する治具掛け口が設けられており、その治具掛け口が、固形潤滑剤で塞がれていることを特徴とする軸受用シール。
【請求項２】
前記治具掛け口が、前記環の前記外径部から部分的に内径側に凹入した導入部を有する請求項１に記載の軸受用シール。
【請求項３】
請求項１又は２に記載の軸受用シールを備えた転がり軸受。
【発明の詳細な説明】
【技術分野】
【０００１】
この発明は、転がり軸受の内外の軌道輪間に介在する軸受用シール、及びこの軸受用シールを備えた転がり軸受に関する。
【背景技術】
【０００２】
連続鋳造設備のピンチロール、鋳片ガイドロール等のように、劣悪な条件、例えば、高温、水被り、水蒸気の雰囲気中、異物が多い場所等では、シールを備えた転がり軸受の使用が推奨されている。
【０００３】
軸受用シールは、外輪の内周端部に固定される外径部を有する環と、この環に一体化されたリップとからなるものが多用されている。なお、外輪の内周端部は、球面軌道と一端面間に位置する内周部分である。
【０００４】
この種の軸受用シールは、ハウジング、潤滑構造等に応じて少なくとも軸方向一端側の内周端部に設けられる。例えば、図３に示すように、連続鋳造設備のピンチロール３１等を支持する場合、転がり軸受のロール中央側は、軸受箱３２のシール３２ａを水や異物が通過し易い。このため、少なくとも外輪３３のロール中央側の内周端部に、軸受用シール３４が設けられる。
【０００５】
図３に例示した軸受用シール３４の環３５は、金属板３６を利用して形成されている。この種の軸受用シール３４では、環３５の外径部３７が、外輪３３の内周端部に圧入されることにより取り付けられている。リップ３８は、金属板３６にゴム材料を固着することで一体化されている。リップ３８は、内輪シール面３９に当るようになっており、軸受内部からの潤滑剤の漏洩を制限し、外部又は密封型の軸受箱内に侵入した異物が軸受内部へ侵入することを防ぐ（例えば、特許文献１）。
【０００６】
ところで、転がり軸受においては、グリースの補充、軸受の交換時期を図るための内部観察、内部すきま測定等の理由から、軸受用シールを取り外したい場合がある。
このような要求に応えるものとして、従来から、軸受用シールの環とリップがゴム材料で一体成形されており、外輪の内周端部への固定を止め輪で行い、止め輪を外すことで取り外せるようにした軸受用シールがある（例えば、特許文献２）。
【０００７】
【特許文献１】特開平１１−３４２４５９号公報
【特許文献２】特開平７−２６９５７５号公報
【発明の開示】
【発明が解決しようとする課題】
【０００８】
しかしながら、前掲の特許文献２のような軸受用シールは、止め輪を備える分、コスト高になる。このため、軸受用シールとしては、図３のもののように、外輪の内周端部に圧入して固定するものが好まれる。
一方、図３のような軸受用シールは、取り外しを想定しておらず、使用現場では、リップと内輪シール面との間に、フック棒、マイナスヘッドのねじ回し等の治具を差し込み、軸受用シールを表側にこじって外すことが行なわれている。このような取り外しを行なうと、治具で内輪シール面を傷付け、新たな軸受用シールに交換してもリップの早期擦り減りやシール漏れを招く恐れがある。
【０００９】
そこで、この発明の課題は、外輪の内周端部に圧入される外径部を有する環と、この環に一体化されたリップとからなる軸受用シールにおいて、内輪シール面を傷付かないように治具で外輪の内周端部から取り外すことである。
【課題を解決するための手段】
【００１０】
上記の課題を達成するため、この発明は、前記環に、シール表裏に連通する治具掛け口が設けられており、その治具掛け口が、固形潤滑剤で塞がれていることを特徴とする構成を採用した。
【００１１】
この発明の構成を備えた軸受用シールを用いて軸受を密封しておけば、前記環に、シール表裏に連通する治具掛け口が設けられているが、その治具掛け口が前記固形潤滑剤で塞がれている。このため、前記固形潤滑剤が軟化して前記治具掛け口から外れないような温度及び軸受運転条件で使用すれば、固形潤滑剤でシール表側から治具掛け口を通って異物が侵入することが防止され、また、軸受内部の潤滑剤がシール裏側から治具掛け口を通って漏洩することも防止される。すなわち、軸受用シールのシール性能は従来品と同様に維持される。また、前記治具掛け口を前記固形潤滑剤で塞ぐと、外力を加え、変形した際に潤滑油を排出するため、固形潤滑剤の取り外しが容易となる。
軸受用シールを取り外すときは、前記固形潤滑剤を引き抜いたり砕いたりすることにより前記治具掛け口を開放させることができる。
開放された前記治具掛け口は、シール表裏に連通しており、シール表側から治具を入れて前記環のシール裏側に治具を掛けられる。その後は、治具により軸受用シールをシール表側にこじって外したり、引き抜いたりすることが可能になる。
したがって、前記リップと内輪シール面との間に治具を差し込むことなく軸受用シールを取り外すことができる。すなわち、この構成によれば、内輪シール面を傷付かないように治具で外輪の内周端部から取り外すことができる。
【００１２】
上記構成において、前記治具掛け口が、前記環の前記外径部から部分的に内径側に凹入した導入部を有する構成を採用すれば、前記固形潤滑剤を外すと、前記治具掛け口の導入口は、前記外輪の内周端部と前記環との間の空隙となって開放することになる。このため、その導入部から治具を差し込み、外輪の内周端縁を梃の支点として治具を起こすことが可能になる。このようにすれば、治具で前記環をシール裏側から表側に簡単に押し出して軸受用シールを取り外すことができる。
【発明の効果】
【００１３】
上述のように、この発明は、外輪の内周端部に圧入される外径部を有する環と、この環に一体化されたリップとからなる軸受用シールにおいて、上記の特徴的な構成の採用により、内輪シール面を傷付かないように治具で外輪の内周端部から取り外すことができる。
【発明を実施するための最良の形態】
【００１４】
以下、この発明の実施形態を添付図面に基づいて説明する。
図１、図２に示すように、この実施形態に係る軸受用シール１は、転がり軸受の外輪１０の内周端部１１に圧入される外径部２ａを有する環２と、この環２に一体化されたリップ３とからなる。
【００１５】
なお、転がり軸受の種類は、軸受用シール１が装着可能な限り特に限定されない。
【００１６】
環２は、金属板製の芯金４を利用したものであり、この芯金４にゴム材料５を固着することにより形成されている。ゴム材料５は、加硫接着により芯金４に固着されている。
【００１７】
環２の外径部２ａは、芯金４で構成されており、円筒状に形成された外輪１０の内周端部１１に全体として軸方向幅をもって沿うように形成されている。環２の外径部２ａは、ゴム材料５で覆い、外輪１０の内周端部１１に形成されたシール溝に圧入固定するように構成することもできる。
【００１８】
環２は、上記の外径部２ａと、この外径部２ａから内径側に延びる内環部２ｂとからなる。内環部２ｂは、芯金４と芯金４のシール表側及びシール裏側の内端部を覆うゴム材料５とで構成されている。芯金４により強度を得ることで、リップ３を支持する環２の幅拡大を防止している。これにより、軸受用シール１は、外輪１０の端面１２から軸方向に突出しないようにし、軸受幅の増大を防止している。なお、環２をゴム材料５のみで設けることも可能である。
【００１９】
また、ゴム材料５により芯金４のシール表側を覆うと、芯金４が軸受外部から保護される。なお、ゴム材料５で芯金４の全体を覆うことも可能である。
【００２０】
リップ３は、ゴム材料５により芯金４の内端から突出しており、内輪シール面１３に当るようになっている。環２は、リップ３を所定の位置、姿勢の範囲内に支持している。
【００２１】
前記環２に、シール表裏に連通する治具掛け口６が形成されている。治具掛け口６は、環２の外径部２ａから部分的に内径側に凹入した導入部６ａを有している。
この実施形態の導入部６ａは、半円筒状に凹入しており、芯金４をシール表側に切欠くことにより、外径部２ａの部分に比して軸方向幅が狭くなっている。これより、導入部６ａは、外輪１０との間に生じた空隙６ｂによりシール裏側に連通している。
【００２２】
導入部６ａの凹み量は、外輪１０の内周端部１１と外輪軌道との間の径方向段差より浅くなっている。これにより、図２に示すように、導入部６ａから差し込まれた治具Ｊの先端部は、上記の段差に当って進入規制される。このように進入規制を行なえば、治具Ｊの差し込み時に、誤って外輪軌道、転動体を傷付けることが防止される。
【００２３】
この実施形態では、上記のような治具掛け口６を周方向一箇所に設けたが、環２の強度が許す限り、適宜の配置、数、形状を採用することができる。例えば、図１（ａ）に二点鎖線で示すように、もう１つの治具掛け口６’を周方向２等配に設けることができる。
【００２４】
上記の治具掛け口６は、固形潤滑剤７で塞がれている。固形潤滑剤７は、導入部６ａを塞ぐように固形化されている。この固形化は、軸受用シール１が単独の状態、軸受用シール１を外輪１０の内周端部１１に取付けた状態のいずれかで行なうことができる。
【００２５】
固形潤滑剤７としては、従来から公知のものを利用することができるが、幅の狭い導入部６ａに充填し易いものとして、充填箇所に留まり易いものがよい。例えば、特開平６−４１５６９号公報で提案されているような軸受用潤滑組成物を利用することができる。
また、この軸受用シール１の使用可能な温度条件は、固形潤滑剤７の軟化温度で実質的に決まる。このため、固形潤滑剤７は、なるべく軟化温度が高いものを利用した方が、軸受用シール１を幅広い温度条件に適応させることができる。
【００２６】
図２に示すように、上記構成を有する軸受用シール１を外輪１０の内周端部１１に圧入することにより取付けられる。軸受用シール１を備えた転がり軸受は、固形潤滑剤７が軟化して治具掛け口６から外れないような温度及び軸受運転条件で使用することになる。ここで、外輪１０は、ハウジング（図示省略）に固定された軸受運転条件の場合、遠心力の影響で固形潤滑剤７が治具掛け口６から外れる心配はない。仮に、外輪回転の軸受運転条件とする場合、固形潤滑剤７は外輪１０の内周端部１１と環２との間にあり、遠心力で外輪１０の内周端部１１に押し付けられるので、その影響を考慮する必要がある。このため、この軸受用シール１は、外輪固定の転がり軸受に特に好適である。
【００２７】
上記のような条件で使用される限り、シール表裏に連通する治具掛け口６は、固形潤滑剤７で塞がれているため、固形潤滑剤７でシール表側から治具掛け口６を通って異物が侵入することが防止され、また、軸受内部の潤滑剤がシール裏側から治具掛け口６を通って漏洩することも防止される。すなわち、軸受用シール１のシール性能は従来品と同様に維持される。
【００２８】
軸受用シール１を外輪１０の内周端部１１から取り外すときは、先ず、固形潤滑剤７を引き抜き等で外した状態にする。これにより、治具掛け口６の導入部６ａは、外輪１０の内周端部１１と環２との間の空隙となって開放する。固形潤滑剤７は、外力を加え、変形した際に潤滑油を排出するため、治具掛け口６からの取り外しが容易となる。
【００２９】
その導入部６ａから治具Ｊを差し込めば、その先端部がシール裏側の空隙６ｂに入り込む。このため、軸受用シール１の裏側に治具Ｊを掛けることができる。なお、治具Ｊは、マイナスヘッドのねじ回や、同様の形状の差し込み治具、フック棒等、シール表側から治具掛け口６に入れ、軸受用シール１の裏側に掛るものであればよい。
【００３０】
その後、図２中に２点鎖線で示すように、外輪１０の内周端縁を梃の支点として治具Ｊを起こすと、治具Ｊで環２をシール裏側から表側に簡単に押し出すことができる。これにより、環２の圧入が解除され、軸受用シール１を取り外すことができる。
【００３１】
上述のように、この実施形態によれば、リップ３と内輪シール面１３との間に治具Ｊを差し込むことなく、すなわち、内輪シール面１３を傷付かないように治具Ｊで軸受用シール１を取り外すことができる。
【００３２】
開放された軸受側面からは、例えば、軸受の内部観察を行なうことが可能である。これにより、軸受をまだ使えるか否かを判断することができ、内部観察ができない場合のように、安全を見越して交換時期を一律に早めに設定する必要がなく、軸受交換周期を延ばすことができる。
【００３３】
その後、新しい軸受用シール１を取付ければよい。なお、取り外した軸受用シール１は、治具Ｊによる押し出しにより芯金４が塑性変形すると考えられる。そのようなものを再利用すると、リップ３の内輪シール面１３への当り具合が歪になるため、新たなものに交換することが好ましい。
【図面の簡単な説明】
【００３４】
【図１】ａは実施形態に係る軸受用シールの裏面図、ｂはこの軸受用シールの縦断面図、ｃはこの軸受用シールの治具掛け口の平面図
【図２】図１の軸受用シールの取り外し作業を示した作用図
【図３】ａは従来例のシール付き転がり軸受の縦断面図、ｂは従来例の軸受用シールの縦断面図
【符号の説明】
【００３５】
１  軸受用シール
２  環
２ａ  外径部
２ｂ  内環部
３  リップ
４  芯金
５  ゴム材料
６  治具掛け口
７  固形潤滑剤
１０  外輪
１１  内周端部
１２  端面
１３  内輪シール面
【図１】
2008249034.tif 000003
【図２】
2008249034.tif 000004
【図３】
2008249034.tif 000005